(57)【特許請求の範囲】
【請求項１】
入力された交流信号に対してその電圧に対応するレベル表示をする信号レベル表示装置であって、
交流信号が入力される入力端子と、
前記入力された交流信号を検波する検波手段と、
前記検波手段の出力電圧をデジタルデータに変換するＡ／Ｄ変換手段と、
前記レベル表示が基準レベルとなる基準値を記憶する記憶手段と、
前記Ａ／Ｄ変換手段からのデジタルデータを、前記記憶手段内の基準値で補正し、前記交流信号のレベル表示を行うためのデジタルデータを生成する制御手段と、
前記制御手段からのデジタルデータに基づいて前記レベル表示を行うための表示信号を出力する表示信号処理手段とを備え、
前記入力端子から基準信号が入力されると、前記制御手段は、前記基準信号に対する前記Ａ／Ｄ変換手段の出力が所定の範囲内にあるとき、前記基準信号に対する前記Ａ／Ｄ変換手段の出力で前記基準値を更新する信号レベル表示装置。
【請求項２】
レベル指示の表示用として、入力された交流信号の電圧値に対応して表示長を変化させて前記レベル指示を行うレベルメーターを用いて構成した請求項１に記載の信号レベル表示装置。
【発明の詳細な説明】
【０００１】
【発明の属する技術分野】
本発明は、入力された交流信号に対してその電圧に対応させてレベル指示を表示する信号レベル表示装置に関するものである。
【０００２】
【従来の技術】
従来から、オーディオ装置やテレビ受像機や磁気記録再生装置（ＶＣＲ）などの音響映像機器においては、その音声出力の信号強度を示すレベル指示を行うため、入力信号に対してその電圧に対応させてレベル指示を表示する信号レベル表示装置が広く使用され搭載されている。
【０００３】
図５は従来の信号レベル表示装置の構成を示すブロック図である。図５において、５１は音声信号を出力する音声回路、５２は音声回路からの音声信号を検波して直流電圧にする検波回路、５３は検波回路からの直流電圧に対応する表示信号（映像信号など）を出力する表示回路、５４は表示回路からの表示信号に基づいてレベルメータを表示する表示装置、５５および５６は検波回路からの直流出力の電圧値調整用の可変抵抗器である。
【０００４】
以上のように構成された信号レベル表示装置について、その動作を以下に説明する。
この信号レベル表示装置は、表示装置５４のレベルメータにおいて、音声信号の基準電圧入力に対して予め決められたレベル指示になるように、各部の回路定数を選定して回路設計が行われている。
【０００５】
しかし検波回路５２は、通常、それを組み込んだ信号レベル表示装置毎に、検波特性としての感度にバラツキがある為、音声信号の同一の基準電圧入力に対する表示装置５４におけるレベル指示にもバラツキが生じてしまい、このバラツキを補正する場合には、音声信号の基準電圧入力に対してレベル指示が基準レベルとなるように、調整用の可変抵抗器５５、５６を調節している。
【０００６】
つまり、上記の信号レベル表示装置において、音声回路５１からの基準信号の電圧に対して、表示装置５４によるレベル指示表示を一致させるための調整を行う場合には、その調整方法として、図５（ａ）に示すように、ＬｃｈおよびＲｃｈのそれぞれについて、可変抵抗器５５ａおよび可変抵抗器５５ｂを個々に調節して行うか、図５（ｂ）に示すように、可変抵抗器５６を調節してＬｃｈおよびＲｃｈを連動させて行うようにしている。
【０００７】
【発明が解決しようとする課題】
しかしながら上記のような従来の信号レベル表示装置では、上述したように、その装置間で、検波回路５２に回路上のバラツキがあり、検波回路５２の入力対出力の電圧特性にもバラツキが生じるため、上述の調整を装置ごとに行っており、そのため、繁雑化した手動作業の工数が多くなるという問題点を有していた。
【０００８】
本発明は、上記従来の問題点を解決するもので、従来には手動で行っていたレベル指示部の指示誤差に対する補正のための調整を、自動化することができ、自動調整の指令コードを送信するだけで、正確にかつ自動的に行うことができる信号レベル表示装置を提供する。
【０００９】
【課題を解決するための手段】
上記の課題を解決するために本発明の信号レベル表示装置は、装置の初期設定時に、自動調整の指令コードを受けることにより、マイコンのソフトウエアであるプログラムによって、レベル指示部の指示誤差に対して、それを検出しその誤差に基づいて自動補正することを特徴とする。
【００１０】
以上により、従来には手動で行っていたレベル指示部の指示誤差に対する補正のための調整を、自動化することができ、自動調整の指令コードを送信するだけで、正確にかつ自動的に行うことができる。
【００１１】
【発明の実施の形態】
本発明の請求項１に記載の信号レベル表示装置は、入力された交流信号に対してその電圧に対応するレベル表示をする信号レベル表示装置であって、交流信号が入力される入力端子と、前記入力された交流信号を検波する検波手段と、前記検波手段の出力電圧をデジタルデータに変換するＡ／Ｄ変換手段と、前記レベル表示が基準レベルとなる基準値を記憶する記憶手段と、前記Ａ／Ｄ変換手段からのデジタルデータを、前記記憶手段内の基準値で補正し、前記交流信号のレベル表示を行うためのデジタルデータを生成する制御手段と、前記制御手段からのデジタルデータに基づいて前記レベル表示を行うための表示信号を出力する表示信号処理手段とを備え、前記入力端子から基準信号が入力されると、前記制御手段は、前記基準信号に対する前記Ａ／Ｄ変換手段の出力が所定の範囲内にあるとき、前記基準信号に対する前記Ａ／Ｄ変換手段の出力で前記基準値を更新するように構成する。
【００１２】
請求項２に記載の信号レベル表示装置は、請求項１に記載のレベル指示の表示用として、入力された交流信号の電圧値に対応して表示長を変化させて前記レベル指示を行うレベルメーターを用いて構成する。
【００１３】
以上の構成によると、装置の初期設定時に、自動調整の指令コードを受けることにより、マイコンのソフトウエアであるプログラムによって、レベル指示部の指示誤差に対して、それを検出しその誤差に基づいて自動補正する。
【００１４】
以下、本発明の実施の形態を示す信号レベル表示装置について、図面を参照しながら具体的に説明する。
まず、本実施の形態の信号レベル表示装置の概念について説明する。
【００１５】
図１は本実施の形態の信号レベル表示装置の概略構成を示すブロック図である。この信号レベル表示装置は、入力された音声信号などの交流信号に対して、その電圧に対応するレベル指示を表示するものである。
【００１６】
図１において、１１は、ＶＣＲにおける音声再生ヘッド（図示せず）により再生した音声信号に対して、フィルタや増幅器など（図示せず）によってアナログ処理する音声処理手段、１２は入力端子Ｌｉｎｅ  ｉｎ  １から入力された音声信号や音声処理手段１１の出力などの交流信号を検波する検波手段、１３は検波手段１２の出力電圧をデジタルデータに変換するＡ／Ｄ変換手段、１５はＡ／Ｄ変換手段１３からのデジタルデータでレベル指示が基準レベルとなる基準値を記憶する記憶手段、１４は、表示装置Ｈ１によりレベル指示の表示を行うための表示プログラムにより、記憶手段１５内の基準値に基づいて、Ａ／Ｄ変換手段１３からのデジタルデータに対応してレベル指示の表示を行うためのデジタルデータを生成する制御手段、１６は、制御手段１４からのデジタルデータに対してデジタル処理してレベル指示の表示を行うための表示信号を、表示装置Ｈ１に対して出力する表示信号処理手段である。
【００１７】
ここで、制御手段１４は、入力端子Ｌｉｎｅ  ｉｎ  １から入力される交流信号であって、表示装置Ｈ１により行われるレベル指示が基準レベルとなる基準信号に対するレベル指示の表示誤差を補正するためのプログラムを有し、その補正プログラムにより、入力された基準信号の電圧に対応するＡ／Ｄ変換手段１３からのデジタルデータによって、記憶手段１５内の基準値を更新するように構成されている。
【００１８】
以上のように構成された信号レベル表示装置について、その概念的な動作を以下に説明する。
１．検波手段１２に対して入力端子Ｌｉｎｅ  ｉｎ  １から入力された音声信号であって、表示装置Ｈ１におけるレベル指示が基準レベルとなるべき基準電圧の基準信号である交流（ＡＣ）電圧を、検波手段１２により検波して直流（ＤＣ）電圧に変換する。
２．この直流電圧は、検波手段１２の回路バラツキにより、通常２．０Ｖ±０．２Ｖの範囲のバラツキを持つ。
３．この直流電圧を、Ａ／Ｄ変換手段１３によりデジタルデータに変換する。
４．このデジタルデータを制御手段１４に転送する。
５．ここで、制御手段１４に対して、例えばリモコン（図示せず）から自動調整の指令コードを送る。
６．基準信号に対応する基準直流電圧２．０Ｖに対して、回路バラツキがある検波手段１２により検波したバラツキを持つ直流電圧が例えば２．２Ｖの場合、制御手段１４における表示プログラムを＋０．２Ｖ分シフトするために、制御手段１４の補正プログラムにより、上記の直流電圧２．２Ｖに対応するＡ／Ｄ変換手段１３からのデジタルデータを新規の基準値とし、この基準値となるデジタルデータを、そのデータにより前の基準値が更新されるように、記憶手段１５に記憶する。
７．以上の動作をＬｃｈおよびＲｃｈの各々について行う。
【００１９】
次に、概略構成を図１に示して前述した信号レベル表示装置を磁気記録再生装置（以下、ＶＣＲと略記する）に組み込んだ場合を例に挙げて、その信号レベル表示装置の具体的な動作について、以下に説明する。
【００２０】
図２は本実施の形態の信号レベル表示装置の具体使用例を示すブロック図であり、図３は同実施の形態の信号レベル表示装置における動作説明図であり、図４は同実施の形態における動作を説明するためのフローチャート図である。
【００２１】
図２において、２１は、ＶＣＲにおける音声再生ヘッド（図示せず）により再生した音声信号に対して、フィルタや増幅器など（図示せず）によってアナログ処理するオーディオ回路（図１の音声処理手段１１に対応）、２２は、入力端子Ｌｉｎｅ  ｉｎ  １あるいはオーディオ回路２１を通過して入力された音声信号などの交流信号を検波することにより、対数圧縮してＤＣ電圧を出力するＤＣ検波対数圧縮回路（図１の検波手段１２に対応するものであり、場合により、単に「検波回路」と略記する）、２３はＤＣ検波対数圧縮回路２２の出力ＤＣ電圧をデジタルデータに変換するＡ／Ｄコンバータ部（図１のＡ／Ｄ変換手段１３に対応）、２４は、表示装置Ｈ１にレベル指示の表示を行うための表示プログラムにより、Ａ／Ｄコンバータ部２３からのデジタルデータに対応して、表示装置Ｈ１におけるＴＶ画面Ｇ１内のレベルメータ部Ｌ１へレベル指示の表示を行うためのデジタルデータを生成するＣＰＵからなるマイコン（図１の制御手段１４に対応）、２５はマイコン２４により表示装置Ｈ１にレベル指示の表示を行うための表示プログラムなどを格納するメモリ部（図１の記憶手段１５に対応）、２６ａは、ＶＣＲにおける映像再生ヘッド（図示せず）による再生信号に基づいて、表示装置Ｈ１におけるＴＶ画面Ｇ１上に表示される再生画像の映像信号を生成するビデオ回路、２６ｂは、マイコン２４からのデジタルデータに基づいてレベルメータ部Ｌ１のキャラクターを生成し、ビデオ回路２６ａからの映像信号に合成するキャラクターゼネレータ回路、２６ｃは、キャラクターゼネレータ回路２６ｂから出力されたレベルメータ部Ｌ１の画像が合成された映像信号を、表示装置Ｈ１に表示するために適正な信号レベルにして出力する出力回路（ビデオ回路２６ａおよびキャラクターゼネレータ回路２６ｂとともに、図１の表示信号処理手段１６に対応）である。
【００２２】
以上のように構成された信号レベル表示装置の動作について、その詳細を以下に説明する。
図３（ａ）は、図２に示すＴＶ画面Ｇ１におけるレベルメータ部Ｌ１の詳細を示している。このレベルメータ部Ｌ１は、１４の位置を基準レベル（０ｄＢとする）の電圧に対応する指示位置として、この位置が点灯する電圧を２．０Ｖ（ＤＣ）とする。したがって、例えば電圧が２．２Ｖ（ＤＣ）の場合には、１６の位置（＋２ｄＢ）まで点灯することになる。ここでは、図３（ｂ）に示すような検波回路２２の出力電圧をレベルメータ部Ｌ１への入力電圧としている。
【００２３】
以上のようなレベルメータ部Ｌ１に対して、その入力電圧と点灯指示位置との対応を、図２に示すマイコン（ＣＰＵ）２４を用いて、そのマイコン２４のソフトウエアである表示プログラムにより行っている。なおこの例では、上述したように、表示プログラムはメモリ部２５に記憶しているものとする。
１．このような表示プログラムにおいて、入力端子Ｌｉｎｅ  ｉｎ  １から入力された基準信号である音声信号の検波回路２２への入力電圧５００ｍＶ（ＡＣ）に対する検波回路２２の出力電圧が２．０Ｖ（ＤＣ）の時、レベルメータ部Ｌ１が−∞から０ｄＢ（１４の位置）まで点灯するように設定し、この表示プログラムを基準プログラムとする。
２．この場合、検波回路２２の出力電圧が２．２Ｖ（ＤＣ）になると、レベルメータ部Ｌ１は−∞から＋２ｄＢ（１６の位置）まで点灯する。
３．一方、検波回路２２の出力電圧は、その検波回路２２によって２．０±０．２Ｖのようにバラつく。したがって、同一の検波回路２２への入力電圧５００ｍＶ（ＡＣ）に対して、レベルメータ部Ｌ１の点灯指示位置は、±２ｄＢ分（１２の位置〜１６の位置）の５ステップの範囲でバラつく。そのため、このバラツキに対する補正のための調整が必要となる。
４．上記の５ステップ分のバラツキの補正に対して、その補正を行うためのシフトプログラム（前述の補正プログラムに対応するものであり、詳細については後述する）で対応する。すなわち、検波回路２２の出力電圧２．２Ｖ（ＤＣ）に対するレベルメータ部Ｌ１の点灯指示位置の補正のために、リモコン（図示せず）から自動調整の指令コードを送信し、レベルメータ部Ｌ１の点灯指示位置が１６の位置から１４の位置になるように、上記の基準プログラムを書き替えてシフトさせ、このプログラムを新規の基準プログラムとしてメモリ部２５に記憶することにより更新する。
【００２４】
次に、上記のシフトプログラムについて、その概略を以下に説明する。
レベルメータ部Ｌ１の点灯指示位置を補正するために、リモコンから自動調整の指令コードを送信すると、図４に示すように、まず、リモコン受光部Ｒ１を介して、リモコンからの調整モードの指令コードを受信し（ステップ４１）、レベルメータ部Ｌ１のレベル表示調整用の基準電圧信号を入力するための入力端子Ｌｉｎｅ  ｉｎ  １からの入力を選択し（ステップ４２）、検波回路２２への入力信号の基準電圧信号として入力端子Ｌｉｎｅ  ｉｎ  １に印加された１ＫＨｚ５００ｍＶ（０ｄＢ）の信号を入力し（ステップ４３）、レベルメータ部Ｌ１におけるＡＵＤＩＯ  ＲＥＣ  ＬＥＶＥＬ調整用のＲｅｃボリウムをセンター（中央）に指令コードにより設定し（ステップ４４）、１ＫＨｚ０ｄＢの信号を検波回路２２により検波し、Ａ／Ｄコンバータ部２３でデジタル化したＤＣ電圧を測定し（ステップ４５）、このＤＣ電圧がその基準値２．０Ｖに対して±０．３Ｖの範囲内にあるかどうかを判定し（ステップ４６）、範囲外の場合には、エラーメッセージを表示し（ステップ４７）、範囲内の場合には、Ｌｃｈの測定ＤＣ電圧を、表示プログラム実行中に参照する新規の基準値として、メモリ部２５に記憶する（ステップ４８）とともに、Ｒｃｈの測定ＤＣ電圧を、Ｌｃｈの測定ＤＣ電圧と同様に表示プログラム実行中に参照する新規の基準値として、メモリ部２５に記憶する（ステップ４９）ことにより、表示プログラムを更新する。
【００２５】
以上のように、装置の初期設定時に、リモコンからの自動調整の指令コードを受けることにより、マイコン２４のソフトウエアであるシフトプログラムによって、レベルメータ部Ｌ１のレベル指示の表示誤差に対して、それを検出しその誤差に基づいて自動的に補正することができる。
【００２６】
その結果、従来には手動で行っていたレベルメータ部Ｌ１における指示誤差に対する補正のための調整を、自動化することができ、リモコンから自動調整の指令コードを送信するだけで、正確にかつ自動的に行うことができる。
【００２７】
【発明の効果】
以上のように本発明によれば、装置の初期設定時に、自動調整の指令コードを受けることにより、マイコンのソフトウエアであるプログラムによって、レベル指示部の指示誤差に対して、それを検出しその誤差に基づいて自動補正することができる。
【００２８】
そのため、従来には手動で行っていたレベル指示部の指示誤差に対する補正のための調整を、自動化することができ、自動調整の指令コードを送信するだけで、正確にかつ自動的に行うことができる。
【図面の簡単な説明】
【図１】本発明の実施の形態の信号レベル表示装置の概略構成を示すブロック図
【図２】同実施の形態の信号レベル表示装置の具体使用例を示すブロック図
【図３】同実施の形態の信号レベル表示装置における動作説明図
【図４】同実施の形態における動作を説明するためのフローチャート図
【図５】従来の信号レベル表示装置の概略構成を示すブロック図
【符号の説明】
１１    音声処理手段
１２    検波手段
１３    Ａ／Ｄ変換手段
１４    制御手段
１５    記憶手段
１６    表示信号処理手段
Ｈ１    表示装置
【図１】
0003761332.tif 000002
【図２】
0003761332.tif 000003
【図３】
0003761332.tif 000004
【図４】
0003761332.tif 000005
【図５】
0003761332.tif 000006